(57)【要約】【課題】    ホールダウン（引きよせ）金物の製造するに際して個別構成部品を無くし、部品の溶接等の製造方法に頼ることなく単一部材から製造し、安価且つシンプルなホールダウン（引きよせ）金物を提供する。【解決手段】    単一部材である角形鋼管、丸形鋼管等の既成管材を用い、其れらの管材を多くの加工を要すること無く製造したホールダウン（引きよせ）金物であって、角形鋼管の角形形状の中空部や丸形鋼管の中空部を利用した接合部の存在しない連続した一体で形成された事を特徴とする。【選択図】図１
2010261288.tif 000002
【特許請求の範囲】
【請求項１】
角形鋼管及び丸形鋼管等管材を利用した単一部材から製造するホールダウン（引きよせ）金物。
【請求項２】
角形鋼管及び丸形鋼管等の管材を利用し、繋ぎ目、合わせ目等の部材の接合部の存在しない連続した一体である請求項１のホールダウン（引きよせ）金物。
【請求項３】
角形鋼管及び丸形鋼管等の中空部をアンカーボルト等ボルトとの緊結固定孔とし、構成部品の存在しないことを特徴とする請求項１のホールダウン（引きよせ）金物。
【請求項４】
角形鋼管を用い緊結固定部の緊結固定孔の先端を角形鋼管のそのままの角形にした請求項１のホールダウン（引きよせ）金物。
【発明の詳細な説明】
【技術分野】
【０００１】  本発明は木造建築物の構造部材である柱の柱脚、柱頭部夫々の側面に取り付け、基礎との緊結や柱同士及び梁と柱の緊結に用い、柱に作用する引き抜き力に抵抗する接合金物であるホールダウン（引きよせ）金物に関するものである。
【背景技術】
【０００２】  従来木造建築物を構成する構造部材は、その木口をホゾ、アリ、釜といった形状に加工し、その形状自体に引きよせ効果を期待できるような形状に加工してきた。
然しながらそれらの加工形状は水平方向への抵抗はできても、垂直方向への引き抜き力に対し、軽微な引き抜き力には補助金物である羽子板金物、帯金物等を、又大きな引き抜き力にはホールダウン（引きよせ）金物等を用い抵抗しているのが現状である。
【発明の開示】
【発明が解決しようとする課題】
【０００３】  上述するように従来の加工形状と補助金物に依存した引き抜き抵抗力では、地震や風圧力によって生じる強大な水平力に起因する引き抜き力に対抗できず、木造建築物を構成する構造部材同士の接合部にあっては、補助的な接合金物やボルト等に頼り構造部材同士を緊結している。【０００４】  然しながら、多くの接合金物は高耐力を求める余り、その形状の大型化や部品同士の結合に際し、溶接等の製造方法によるため接合金物の製造コストに与える影響も少なくない。
このことは、それを使用しなくてはならない木造建築物にあっては、建築コストに及ぼす影響は大きく、少なくとも高耐力木造建築物を建築する場合、コスト的には阻害の一要因ともなっている。【０００５】  本発明は斯様な状況を鑑みなされたもので、その目的とするところは、既成管材である角、丸等の形状の鋼管を採用し、接合部を無くし、特段の加工を施すこと無く使いやすさを追求した細幅とシンプルな形状による高強度化とコストダウンである。
【課題を解決するための手段】
【０００６】  上記目的を達成する本発明のホールダウン（引きよせ）金物は、角形鋼管及び丸形鋼管を用い、それら鋼管の断面形状である角形形状はそのままの形状を利用し、又丸形鋼管の場合は円形断面を扁平楕円形状に加工変形させて用いる。【０００７】  角形鋼管を利用したホールダウン（引きよせ）金物の場合は、アンカーボルトとの緊結を行う緊結固定孔の先端は楕円形状に形成する必要性は全く無く、切断や切削により生ずる中空角形断面を利用した角形形状孔をアンカーボルトやボルト等との緊結固定孔として、その形状のまま製品化することができる。【０００８】  角型鋼管及び丸形鋼管を利用したいずれの場合も柱等構造部材への取り付け部とアンカーボルトとの緊結固定中空孔部とが存在するため、各々の切り出し形状は片手桶形状になり、取手部分を互いに向かい合わせた形状にしてこれらの角形鋼管、丸形鋼管から切り出すことにより、鋼材ロスを最小限に止めることができる。【０００９】  角形鋼管を用いた場合は、その背板の両側に強度補完の目的から壁となる立ち上げを切り残し角形鋼管から切り出し成形し、角形鋼管の角形形状中空部分を緊結固定孔としたことを特徴とする。【００１０】  又、丸形鋼管の場合は、切断や鍛造等の手段により手桶形状の取手部分の両側に強度補完の補強壁を立ち上げた平旦な形状に加工し成形した背板を、構造部材への取り付け部とし、その下部である緊結固定孔背面部分も取り付け部と同様に平旦に加工した背板部分を延伸させ、平板背板をもつ先端半円形の空間に加工し、成形した中空部分を緊結固定孔としたことを特徴とする。
【発明の効果】
【００１１】  上述したように本発明によれば、既成単一部材である角形又は丸形に一体成形された鋼管を採用する事により、多くの加工を要する事なく継ぎ目の無い細幅で且つシンプルな形状のホールダウン（引きよせ）金物を製造することが可能となる。【００１２】  更には、一般的なホールダウン（引きよせ）金物の様に構成する部品を別途個別に製造する必要が無いため、その各々を組み合わせ熔接する作業や、部品ごとの在庫を持つ必要も無く、管理コストの低減も可能となる。
これら多くのコストメリットにより、製品の安価なる供給が可能となる。
【発明を実施するための最良の形態】
【００１３】  以下、本発明の実施の形態を図面に基づき詳細に説明する。【００１４】  図１〜図４は本発明の実施の形態に係り、図１は角形鋼管ホールダウン（引きよせ）金物を構造部材である柱に取り付け、土台を介しアンカーボルトにより基礎と緊結固定した状態を示す斜視図であり、図２はその部分縦断面図であり、図３は丸形鋼管を用いたホールダウン（引きよせ）金物の実施の形態に係る斜視図を示し、図４は角形鋼管の形取と切り出し形状を示す斜視図であり、図５は角形鋼管を用いたホールダウン（引きよせ）金物の単体斜視図、図６は丸形鋼管の切り出し形状を示す斜視図で図７は丸形鋼管を用いたホールダウン（引きよせ）金物の単体斜視図である。【００１５】  図１は、構造部材である柱１に本発明の角形鋼管を用いたホールダウン（引きよせ）金物１５ａを取り付けた状態を示したものである。【００１６】  角形鋼管を利用したホールダウン（引きよせ）金物１５ａは切り出した形状の取手部分１３のその両側に約１ｃｍほどの立ち上がりを切り残し強度補完の壁となる１１を形成する。【００１７】  角形鋼管を用いたホールダウン（引きよせ）金物１５の構造部材である柱１への取り付けは、緊結固定孔上部の取手部１３の平坦部分に開けられた数個のビス孔１４より数本のビス１２にて留めつけ構造部材である柱や梁と一体化させる。【００１８】  角形鋼管を用いたホールダウン（引きよせ）金物１５とアンカーボルト等ボルトとの緊結固定方法はアンカーボルト６との緊結固定を例にとり説明する。【００１９】  角形鋼管を用いたホールダウン（引きよせ）金物１５の緊結固定孔１６下部よりアンカーボルト上端１０に緊結固定孔１６を合わせ緊結固定孔１６下部からアンカーボルト１０を挿入しワッシャー８を介しナット９を締めつけ緊結固定する。【００２０】  図３は丸形鋼管を用いた場合のホールダウン（引きよせ）金物１５Ｒを構造部材である柱に取り付けた状態を示す斜視図である。【００２１】  丸形鋼管を用いたホールダウン（引きよせ）金物１５Ｒの場合も角形鋼管を用いたホールダウン（引きよせ）金物１５と同様に、丸形鋼管から片手桶形状に切り出し、取手部分１３Ｒに該当する部分に強度補完の壁である立ち上げ部分１１Ｒを両側に垂直に残し、緊結固定孔背面底部に至るまで背板１３Ｒを平坦に加工したものであり、その背板１３Ｒとなる部分の両側の強度補完の壁と緊結固定孔の両側の壁１５Ｒは切れ目や接ぎ目の無い一体構造を実現している。【００２２】  構造部材である柱１への取り付けは、取手部分の半円形形状を平坦に加工した背板部分１３Ｒに、数個のビス孔１４Ｒを開け、角形鋼管を用いたホールダウン（引きよせ）金物１５と同様に数本のビス１２にて取り付け構造部材である柱１と一体化させる。【００２３】  アンカーボルト等ボルトとの緊結固定は角形鋼管を用いたホールダウン（引きよせ）金物１５の場合と同様である。【００２４】  上記の実施の最良の形態では、柱と基礎の緊結固定について説明しているが、柱と柱の緊結や水平方向に用いる事で横架材同士を接合する羽子板ボルト等との緊結にも使用する事が可能でありその他の多くの部材同士の緊結接合に有効である。
【実施例】
【００２５】  角形鋼管を用いたホールダウン（引きよせ）金物１５は２６ｍｍ×５０ｍｍの既製品角形鋼管が最適で、丸形鋼管を用いたホールダウン（引きよせ）金物１５Ｒの場合は直径４２，７ｍｍの既製品丸形鋼管が最適となる。【００２６】  角形鋼管を用いたホールダウン（引きよせ）金物１５は製品としての出来上がり寸法が、幅２６、奥行５０ｍｍとなり、丸形鋼管の場合は直径４２，７ｍｍの鋼管を加工し幅約２６ｍｍ、奥行約４７ｍｍの細幅を実現する事ができる。【００２７】  実施例では鋼管の寸法について説明しているが、他の寸法の鋼管でも製造することは可能であり、幅を限定しなければ任意の鋼管を使用する事が可能となる。
【産業上の利用の可能性】
【００２８】  本発明による製造方法によれば、多くの加工を経ず製品化されることにより、高品質なホールダウン（引きよせ）金物を安価に製造・供給する事が可能であり、建築金物を製造したり、木造建築物を施工する分野で利用する事ができる。
【図面の簡単な説明】
【００２９】
【図１】  本発明の角形鋼管を用いたホールダウン（引きよせ）金物の実施の形態に係る斜視図である。
【図２】  本発明の角形鋼管を用いたホールダウン（引きよせ）金物の実施の形態に係る部分縦断面図である。
【図３】  本発明の丸形鋼管を用いたホールダウン（引きよせ）金物の実施の形態に係る斜視図である。
【図４】  本発明の角形鋼管を用いたホールダウン（引きよせ）金物の実施の形態に係る角形鋼管からの切り出し状態を示す斜視図である。
【図５】  本発明の角形鋼管を用いたホールダウン（引きよせ）金物の単体斜視図である。
【図６】  本発明の丸形鋼管を用いたホールダウン（引きよせ）金物の実施の形態に係る丸形鋼管からの切り出し状態を示す斜視図である。
【図７】  本発明の丸形鋼管を用いたホールダウン（引きよせ）金物の単体斜視図である。
【符号の説明】
【００３０】  １            構造部材である柱
２            構造部材である土台
３            基礎
７            角形鋼管を用いたホールダウン（引きよせ）金物の緊結固定孔先端
７Ｒ          丸形鋼管を用いたホールダウン（引きよせ）金物の緊結固定孔先端
８            ワッシャー
９            ナット
１０            アンカーボルト
１１            角形鋼管を用いたホールダウン（引きよせ）金物の強度補完の両側の壁
１１Ｒ          丸形鋼管を用いたホールダウン（引きよせ）金物の強度補完の両側の壁
１２            取り付け用ビス
１３            角形鋼管を用いたホールダウン（引きよせ）金物の背板
１３Ｒ          丸形鋼管を用いたホールダウン（引きよせ）金物の背板
１５            角形鋼管を用いたホールダウン（引きよせ）金物
１５ａ          角形鋼管を用いたホールダウン（引きよせ）金物壁内側
１５Ｒ          丸形鋼管を用いたホールダウン（引きよせ）金物
１６            緊結固定孔
【図１】
2010261288.tif 000003
【図２】
2010261288.tif 000004
【図３】
2010261288.tif 000005
【図４】
2010261288.tif 000006
【図５】
2010261288.tif 000007
【図６】
2010261288.tif 000008
【図７】
2010261288.tif 000009